【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
画像処理のための方法であって、前記方法は以下を備える、
第１の部分および第２の部分を含む構成画像を受信することと、
前記構成画像内のピクセルの相対深度を示す、前記構成画像のデプスマップのデプスマップ値を決定することと、
前記構成画像の知覚マップの知覚マップ値を決定することと、
前記構成画像の強調されたバージョンを生成するために少なくとも前記デプスマップ値および前記知覚マップ値に基づいて前記構成画像の前記第１の部分を前記構成画像の前記第２の部分に対して強調すること。
【請求項２】
前記構成画像および前記構成画像の前記強調されたバージョンは、同じビューからのものである、請求項１に記載の方法。
【請求項３】
前記構成画像の前記第１の部分を前記構成画像の前記第２の部分に対して強調することは、
前記第１の部分内のピクセルを強調し、前記第２の部分内のピクセルは強調しないことと、
前記第２の部分内の前記ピクセルをぼかし、前記第１の部分内の前記ピクセルはぼかさないことと、
前記第１の部分内の前記ピクセルを強調し、前記第２の部分内の前記ピクセルをぼかすことと、
のうちの少なくとも１つを備える、請求項１に記載の方法。
【請求項４】
前記デプスマップのデプス値を決定することは、いずれのピクセルが前記構成画像の前景にある物体のためのものであるかを決定することを備え、
前記知覚マップの知覚マップ値を決定することは、前記構成画像内の物体の動き情報を決定することを備え、
前記構成画像の前記第１の部分を前記第２の部分に対して強調することは、前記動き情報によって決定される、前記構成画像の前記前景にあってより遅く動いている物体のピクセルを、前記動き情報によって決定される、前記構成画像の背景にあってより速く動いている物体のピクセルに対して強調することを備える、請求項１に記載の方法。
【請求項５】
前記デプスマップのデプス値を決定することは、いずれのピクセルが前記構成画像の前景にある物体のためのものであるかを決定することを備え、
知覚マップ値を決定することは、前記構成画像内のピクセルの顕著性情報を決定することを備え、
前記構成画像の前記第１の部分を前記第２の部分に対して強調することは、より目立つ、前記構成画像の前記前景にある物体のピクセルを、より目立たない、前記構成画像の背景にある物体のピクセルに対して強調することを備える、請求項１に記載の方法。
【請求項６】
前記知覚マップは、前記構成画像内の物体の知覚速度を示す動き情報マップ、および、前記構成画像内のピクセルの顕著性を示す顕著性マップのうちの少なくとも１つを備え、ここにおいて、前記知覚マップ値は、前記画像の動き情報または／および顕著性情報に基づいて決定され、前記構成画像の前記第１の部分は、加重された知覚マップ値および加重されたデプスマップ値に基づいて強調され、前記知覚マップ値は、前記構成画像内の物体の速度に逆に比例して加重される、請求項１に記載の方法。
【請求項７】
前記構成画像は、第１の目に対する立体ビデオの第１の構成画像を備え、前記方法は、
第２の目に対する前記立体ビデオの第２の構成画像を受信すること、ここにおいて、前記第１の構成画像および前記第２の構成画像の画像内容は実質的に同様である、と、
少なくとも前記第１の構成画像の前記デプスマップ値および前記第１の構成画像の前記知覚マップ値に基づいて前記第２の構成画像の第１の部分を前記第２の構成画像の第２の部分に対して強調することと、
をさらに備える、請求項１に記載の方法。
【請求項８】
強調マップの強調マップ値を生成するために、前記デプスマップ値および前記知覚マップ値に対して加重和を実行することをさらに備え、
前記構成画像の前記第１の部分を前記構成画像の前記第２の部分に対して強調することは、前記強調マップ値に基づいて、前記構成画像の前記第１の部分を前記構成画像の前記第２の部分に対して強調することを備える、請求項１に記載の方法。
【請求項９】
前記デプスマップの前記デプス値をフィルタリングすることと、
前記デプスマップの前記デプス値を平滑化することと、
前記デプスマップの前記デプス値をヒストグラム伸張することと、
のうちの少なくとも１つをさらに備える、請求項１に記載の方法。
【請求項１０】
デバイスであって、前記デバイスは以下を備える、
第１の部分および第２の部分を含む構成画像を受信するための手段と、
前記構成画像内のピクセルの相対深度を示す、前記構成画像のデプスマップのデプスマップ値を決定するための手段と、
前記構成画像の知覚マップの知覚マップ値を決定するための手段と、
前記構成画像の強調されたバージョンを生成するために少なくとも前記デプスマップ値および前記知覚マップ値に基づいて前記構成画像の前記第１の部分を前記構成画像の前記第２の部分に対して強調するための手段。
【請求項１１】
前記構成画像の前記第１の部分を前記構成画像の前記第２の部分に対して前記強調するための手段は、
前記第１の部分内のピクセルを強調し、前記第２の部分内のピクセルは強調しないための手段と、
前記第２の部分内の前記ピクセルをぼかし、前記第１の部分内の前記ピクセルはぼかさないための手段と、
前記第１の部分内の前記ピクセルを強調し、前記第２の部分内の前記ピクセルをぼかすための手段と、
のうちの少なくとも１つを備える、請求項１０に記載のデバイス。
【請求項１２】
前記デプスマップのデプス値を前記決定するための手段は、いずれのピクセルが前記構成画像の前景にある物体のためのものであるかを決定するための手段を備え、
前記知覚マップの知覚マップ値を前記決定するための手段は、前記構成画像内の物体の動き情報を決定するための手段を備え、
前記構成画像の前記第１の部分を前記第２の部分に対して前記強調するための手段は、前記動き情報によって決定される、前記構成画像の前記前景にあってより遅く動いている物体のピクセルを、前記動き情報によって決定される、前記構成画像の背景にあってより速く動いている物体のピクセルに対して強調するための手段を備える、請求項１０に記載のデバイス。
【請求項１３】
前記デプスマップのデプス値を前記決定するための手段は、いずれのピクセルが前記構成画像の前景にある物体のためのものであるかを決定するための手段を備え、
知覚マップ値を前記決定するための手段は、前記構成画像内のピクセルの顕著性情報を決定するための手段を備え、
前記構成画像の前記第１の部分を前記第２の部分に対して前記強調するための手段は、より目立つ、前記構成画像の前記前景にある物体のピクセルを、より目立たない、前記構成画像の背景にある物体のピクセルに対して強調するための手段を備える、請求項１０に記載のデバイス。
【請求項１４】
本願請求項６〜９のうちのいずれか１つの前記方法を実行するための方法をさらに備える、請求項１０に記載のデバイス。
【請求項１５】
命令を備えるコンピュータ可読記憶媒体であって、前記命令は１つまたは複数のプロセッサに以下をさせる、
第１の部分および第２の部分を含む構成画像を受信すること、
前記構成画像内のピクセルの相対深度を示す、前記構成画像のデプスマップのデプスマップ値を決定すること、
前記構成画像の知覚マップの知覚マップ値を決定すること、
前記構成画像の強調されたバージョンを生成するために少なくとも前記デプスマップ値および前記知覚マップ値に基づいて前記構成画像の前記第１の部分を前記構成画像の前記第２の部分に対して強調すること。